(57)【要約】【課題】水流の屈曲による損失を小さくし、上流部等への背水の影響を少なくするようにしたろ面循環型除塵機を提供すること。【解決手段】無端状スクリーン１の下半が水路水面下に没するように張架配設するとともに、このスクリーン１を回転駆動し、スクリーン１にて捕捉した夾雑物を除去すようにしたろ面循環型除塵機において、スクリーン１を、スクリーン１の側部の上流側が拡開するように水路Ｓに対してそれぞれ斜めに配向するようにする。【選択図】図１
2008174941.tif 000002
【特許請求の範囲】
【請求項１】
無端状スクリーンの下半が水路水面下に没するように張架配設するとともに、該スクリーンを回転駆動し、スクリーンにて捕捉した夾雑物を除去するようにしたろ面循環型除塵機において、スクリーンを、スクリーンの側部の上流側が拡開するように水路に対してそれぞれ斜めに配向したことを特徴とするろ面循環型除塵機。
【請求項２】
スクリーンの側部において、スクリーンの上流側のガイドレールを外側に湾曲するように形成するとともに、スクリーンの下流側のガイドレールを内側に湾曲するように形成したことを特徴とする請求項１記載のろ面循環型除塵機。
【発明の詳細な説明】
【技術分野】
【０００１】
本発明は、下水処理や河川排水処理等において使用されるろ面循環型除塵機に関し、特に、水流の屈曲による損失を小さくし、上流部等への背水の影響を少なくするようにしたろ面循環型除塵機に関するものである。
【背景技術】
【０００２】
合流式下水道改善のため、夾雑物除去を行う自動除塵機として、ろ面循環型除塵機がある。
このろ面循環型除塵機は、例えば、図３に示すように、無端状スクリーン１を水路Ｓと平行に、かつスクリーン１の下半が水路水面下に没するように張架配設するとともに、このスクリーン１を回転駆動し、水上にてスクリーン１の外側から加圧水を噴霧することにより、捕捉した夾雑物をスクリーン１から脱荷し、シュート４に回収するようにしている。
【０００３】
このようなろ面循環型除塵機は、水路と平行にスクリーンを設置することから、スクリーン長さが水路幅に制限されないという利点がある。
また、このろ面循環型除塵機は、水の通水面が左右及び下面の３面で確保できることから、ろ過水量が大きいという利点もある。
【０００４】
ところで、ろ面循環型除塵機の損失水頭は、入口部の断面急縮による損失、スクリーン面通過時の屈曲と通過による損失、及び出口部の断面急拡による損失の３つに大きく分けられる。
この中で、スクリーン通過時の屈曲による損失は、図４に示すように、スクリーン１の上流側と下流側とで水の流れが２度に亘って約９０度変化するため、その損失は大きいものとなる。
一方、水路の水流と直角にスクリーン面を設置する、一般的なバースクリーン式のスクリーンは、流れの方向に変化がない。
したがって、同じ通水面積で考えた場合、ろ面循環型除塵機の損失水頭は、バースクリーン式よりも大きいといえ、このことから、低損失型のろ面循環型除塵機が要求されている。
【発明の開示】
【発明が解決しようとする課題】
【０００５】
本発明は、上記従来のろ面循環型除塵機が有する問題点に鑑み、水流の屈曲による損失を小さくし、上流部等への背水の影響を少なくするようにしたろ面循環型除塵機を提供することを目的とする。
【課題を解決するための手段】
【０００６】
上記目的を達成するため、本発明のろ面循環型除塵機は、無端状スクリーンの下半が水路水面下に没するように張架配設するとともに、該スクリーンを回転駆動し、スクリーンにて捕捉した夾雑物を除去するようにしたろ面循環型除塵機において、スクリーンを、スクリーンの側部の上流側が拡開するように水路に対してそれぞれ斜めに配向したことを特徴とする。
【０００７】
この場合において、スクリーンの側部において、スクリーンの上流側のガイドレールを外側に湾曲するように形成するとともに、スクリーンの下流側のガイドレールを内側に湾曲するように形成することができる。
【発明の効果】
【０００８】
本発明のろ面循環型除塵機によれば、無端状スクリーンの下半が水路水面下に没するように張架配設するとともに、該スクリーンを回転駆動し、スクリーンにて捕捉した夾雑物を除去するようにしたろ面循環型除塵機において、スクリーンを、スクリーンの側部の上流側が拡開するように水路に対してそれぞれ斜めに配向することから、スクリーンのスクリーンプレートの向きを水流の方向に近づけて、スクリーンを通過する水流の変化を緩やかにし、水流の屈曲による損失水頭を小さくすることができ、これにより、上流部等への背水の影響が問題であった箇所へもろ面循環型除塵機を設置することができる。
【０００９】
この場合、スクリーンの側部において、スクリーンの上流側のガイドレールを外側に湾曲するように形成するとともに、スクリーンの下流側のガイドレールを内側に湾曲するように形成することにより、スクリーンの上流側と下流側とで周長を合わせ、これにより、スクリーンの上流側を拡開するように配設しても、円滑なチェーンの運行を行うことができる。
【発明を実施するための最良の形態】
【００１０】
以下、本発明のろ面循環型除塵機の実施の形態を、図面に基づいて説明する。
【実施例１】
【００１１】
図１〜図２に、本発明のろ面循環型除塵機の一実施例を示す。
このろ面循環型除塵機は、無端状スクリーン１の下半が水路水面下に没するように張架配設するとともに、このスクリーン１を回転駆動し、水上にてスクリーン１の外側からノズル２で加圧水を噴霧することにより、捕捉した夾雑物をスクリーン１から脱荷し、シュート４に回収するようにしている（例えば、図３参照）。
そして、このろ面循環型除塵機は、スクリーン１を、スクリーン１の左右の側部の上流側が拡開するように水路Ｓに対してそれぞれ斜めに配向している。
【００１２】
スクリーン１は、例えば、図３に示すように、多数のスクリーンプレート３を櫛歯状に並設することによりスクリーンパネル６を形成し、このスクリーンパネル６をリンクすることにより無端状スクリーン１を形成している。
スクリーン１を構成する各スクリーンプレート３は、スクリーン面に対して直角に配列されている。
また、スクリーン１は、スプロケット７１によりガイドレール７２に沿って駆動するコンベアチェーン７によって循環されている。なお、本実施例では、コンベアチェーン７は、１対のローラ７３によってガイドレール７２を挟みつけるようにしている。
【００１３】
スクリーン１の左右の側部では、図２（ａ）に示すように、スクリーン１の上流側のガイドレール７２ａを外側に湾曲するように形成するとともに、図２（ｂ）に示すように、スクリーン１の下流側のガイドレール７２ｂを内側に湾曲するように形成している。
従来のガイドレール７２は、図２（ｃ）に示すように、スクリーン１の左右の側部がストレートであり、上流側と下流側ともにガイドレールの形状が同じで、スクリーン面とレール面が同一であったが、本実施例では、円形のレール等を使用することで角度を自由に変え、上流側と下流側とでガイドレール７２ａ、７２ｂの間隔を変更できるようにしている。
これにより、図１に示すように、スクリーン１の左右の側部を、その上流側が拡開するように水路Ｓに対してそれぞれ斜めに配向し、スクリーン面が水流に対して所定の角度を有するようにしている。
【００１４】
一方、ろ面循環型除塵機は、水路Ｓを整流板８で区画することにより、水路Ｓの水をスクリーン１の内部に導入するとともに、スクリーン１の奥に、水流を遮る背面板５を配設することにより、導入した水がスクリーン１を通過するようにしている。
従来は、図４に示すように、スクリーン１の上流側と下流側とで水の流れが２度に亘って約９０度変化していたが、本実施例では、スクリーン１の側部を上流側が拡開するように斜めに配向したことにより、図１に示すように、この流れの角度変化を緩和し損失係数を大幅に軽減することができた。
【００１５】
かくして、本実施例のろ面循環型除塵機は、無端状スクリーン１の下半が水路水面下に没するように張架配設するとともに、このスクリーン１を回転駆動し、スクリーン１にて捕捉した夾雑物を除去するようにしたろ面循環型除塵機において、スクリーン１を、スクリーン１の左右の側部の上流側が拡開するように水路Ｓに対してそれぞれ斜めに配向することから、スクリーン１のスクリーンプレート３の向きを水流の方向に近づけて、スクリーン１を通過する水流の変化を緩やかにし、水流の屈曲による損失水頭を小さくすることができ、これにより、上流部等への背水の影響が問題であった箇所へもろ面循環型除塵機を設置することができる。
【００１６】
また、スクリーン１の左右の側部において、スクリーン１の上流側のガイドレール７２ａを外側に湾曲するように形成するとともに、スクリーン１の下流側のガイドレール７２ｂを内側に湾曲するように形成することにより、スクリーン１の上流側と下流側とで周長を合わせ、これにより、スクリーン１の上流側を拡開するように配設しても、円滑なチェーンの運行を行うことができる。
【００１７】
以上、本発明のろ面循環型除塵機について、その実施例に基づいて説明したが、本発明は上記実施例に記載した構成に限定されるものではなく、その趣旨を逸脱しない範囲において適宜その構成を変更することができる。
【産業上の利用可能性】
【００１８】
本発明のろ面循環型除塵機は、水流の屈曲による損失を小さくし、上流部等への背水の影響を少なくするという特性を有していることから、例えば、下水処理・浄水処理の除塵設備や河川用の除塵設備をはじめとして、一般産業・食品関連の除塵設備の用途にも好適に用いることができる。
【図面の簡単な説明】
【００１９】
【図１】本発明のろ面循環型除塵機の一実施例を示す断面平面図である。
【図２】スクリーンのガイドレールを示し、（ａ）は本実施例の上流側のガイドレールを示す正面図、（ｂ）は同下流側のガイドレールを示す正面図、（ｃ）は従来例のガイドレールを示す正面図である。
【図３】ろ面循環型除塵機の全体図である。
【図４】従来のろ面循環型除塵機を示す断面平面図である。
【符号の説明】
【００２０】
１    無端状スクリーン
２    ノズル
３    スクリーンプレート
４    シュート
５    背面板
６    スクリーンパネル
７    コンベアチェーン
７１  スプロケット
７２  ガイドレール
７３  ローラ
８    整流板
Ｓ    水路
【図１】
2008174941.tif 000003
【図２】
2008174941.tif 000004
【図３】
2008174941.tif 000005
【図４】
2008174941.tif 000006